(57)【要約】【課題】  冷蔵庫内に保存される蜂蜜、ラードやバター、マーガリンなどを、冷蔵庫の側板からの放射熱や、箱体に伝導される熱を利用し軟らかく保存する、保温箱を提供する。【解決手段】断熱材からなる箱体で、脱着可能で密閉手段となる蓋３を被せる開口部を有す一面と、該一面とは異なる面に、冷蔵庫の側板への取付け手段となる磁石５と放射熱を取込む暖気口４を設けた、保温箱１である。【選択図】  図４
0003160615.tif 000002
【実用新案登録請求の範囲】
【請求項１】
断熱材からなり、開閉自在な密閉手段を備えた開口部を有する一面と、該一面と異なる面に取付け手段と暖気口とを設けた箱体であることを特徴とする、
保温箱。
【請求項２】
前記密閉手段や箱体の構成が、断熱材と合成樹脂との積層でなることを特徴とする、
請求項１に記載の保温箱。
【請求項３】
前記暖気口の周囲に溝を設け、該溝にクッション材を敷設したことを特徴とする、
請求項１または２記載の保温箱。
【考案の詳細な説明】
【技術分野】
【０００１】
本考案は、ラードや蜂蜜、バター、マーガリンなどを軟らかく保存する、保温箱に関する。
【背景技術】
【０００２】
従来、前記、乳製品やラード、蜂蜜などの調味料を保存するのは、冷蔵庫内に保存するのが一般的である。
【先行技術文献】
【特許文献】
【０００３】
【特許文献１】公開実用新案公報(Ｕ)昭６１−２０２３７３
【０００４】
前記、特許文献１の保温箱は、保温箱内に別途の保温剤、保冷剤を必要とし同梱しなければならない。
【考案の開示】
【考案が解決しようとする課題】
【０００５】
しかしながら、前記、乳製品や蜂蜜などは冷蔵庫内から取出した時点において、冷蔵庫内が低温のため硬化している。冷蔵庫内から取出したバターの表面を削り取るようにバターナイフに付けるが、冷えたバターはパンに馴染まず塗り辛く時間を要するものである。又、この行為は冷えたバターの塗布により、ふっくら焼き上がったパンを急冷し固くしているのである。
【０００６】
蜂蜜などは、電子レンジや湯煎したりして加熱するが、蜂蜜容器や乳製品の容器内残量に対する、適温となる時間の判断は難しく高温に晒されることがしばしばである。
【０００７】
冬季や寒冷地では、室内温度でもこれら乳製品や蜂蜜などは固くなり、容器から取出すことに時間と力と熱を要する。
【０００８】
蜂蜜やバターを急いで、軟らかく塗り易くする際に、電子レンジや湯煎で軟らかくすることが多いが、使用後には再び冷蔵庫へ収納、これらの温度差を繰り返した乳製品や蜂蜜は、品質や成分の変化はあっても、開封時と同様の風味や旨味を向上しながら継続するとは考えられない。
【課題を解決するための手段】
【０００９】
請求項１に記載の保温箱は断熱材で形成され、開閉自在な扉や、又は着脱自由な蓋を密閉手段とし、前記蓋や扉が納まる開口部を一面に有す箱体であって、前記面と異なる面に冷蔵庫側板への取付け手段や暖気口を設けた箱体の保温箱である。
以後、冷蔵庫側板から放射熱を取込む保温箱側の空気取り入れ口を、暖気口と称す。
【００１０】
前記断熱材は発泡スチロールでもよく、同等の保温力や成形が容易な保温材でもよい。
冷蔵庫側板への取付け手段として、磁石や吸盤、両面テープなどを利用する。又、これらを併用した取付け手段も含まれる。
【００１１】
請求項２に記載の保温箱は、請求項１に記載の保温箱において、断熱材となる発泡スチロールやウレタン、スポンジなどを中空の合成樹脂の箱体に内包しサンドイッチ状に積層し、水洗いにも強く強度や保温性を高めた保温箱である。また合成樹脂の箱体が中空のままで、断熱材を内包していない無垢のままでもよい。
【００１２】
請求項３に記載の保温箱は、請求項１または２に記載の保温箱において、該保温箱と冷蔵庫側板の密着度を高め暖気の取込み効率を向上するためと、暖気の洩れを少なくするために、暖気口の周りに溝を設け、該溝に保温力、弾力性を有しクッション材となるスポンジなどを取り付けた保温箱である。
【考案の効果】
【００１３】
本考案の保温箱を利用すれば、登校や出勤と、時間に追われる朝食時に、パンに乳製品や蜂蜜などを塗る際に、冷蔵庫内から取出した乳製品などの、低温度に起因する硬さや塗り辛さが極度に低減される。
【００１４】
本考案の保温箱を利用すれば、バターナイフに軟らかくなったマーガリンなどを、トースターで焼かれ熱を持ったパンにすぐに滑らかに塗布でき、バターナイフとパンとが接触して、パンの焼け焦げがテーブルに落ちることも少なく、隅々までムラなくスムースに短時間で塗ることができ、塗り洩れによることでの味ムラがなく、気ぜわしい時間が助長されることがなくなる。
【００１５】
冷蔵庫側板を熱源とするので、乳製品などの調味料を温めるために、新たにガスや電力などの光熱費が不要であり、エコ的な保温箱となる。
【００１６】
室内の空調状態にもよるが、冷蔵庫のモーター作動時の、冷蔵庫側板の冬季の温度は１６℃前後で、夏場は２７℃前後であり、冷蔵庫自身の放熱で室温が高くならないように、自然環境にやさしいの室温設定になっているため、新たに光熱費を要する器具が不要であり熱源が増えることはない。
【００１７】
電子レンジや湯煎では、蜂蜜や乳製品の容器内の残量を温めるための、適性時間の設定が難しいが、本考案の保温箱では蜂蜜や乳製品を温めるために、極めて高温になったり利用後に再度低温の冷蔵庫へと、度重なる温度変化に晒されたりすることはない。
【考案を実施するための形態】
【実施例１】
【００１８】
図１乃至図５に、本考案の一実施形態が採用された保温箱１を示す。
【００１９】
図１、図２、図３に示すように保温箱１は、開口部に扉２を取付けける面と、該面と異なる面で冷蔵庫側板に密着する面に磁石５と暖気口４を備えている。
【００２０】
把手８は、扉２の開閉の際に掴むためのものである。
【００２１】
扉軸穴２ｂは、扉２の開閉の軸穴となる。扉２の開閉に蝶番を利用してもよい。
【００２２】
図２は、図１のＹ−Ｙ面の断面図である。
【００２３】
図２は、中空の合成樹脂箱体１０に発泡スチロール９を内包した保温箱１の断面を示す。
【００２４】
図３は、図１で示した縦長形状の保温箱１の裏側を表す斜視図である。保温箱１の裏面が冷蔵庫側板に密着する面となり、磁石５と暖気口４を有している。暖気口４の周囲に溝６を設け、該溝６にスポンジを取付け暖気の洩れを防ぎ、効率よく暖気を取込む構造である。
【００２５】
保温箱１を利用する時は、磁石５を有す暖気口４の面を冷蔵庫側板の適宜場所に置くと、磁石５により保温箱１は冷蔵庫側板に密着される。把手８を持ち扉２を開閉し、乳製品や蜂蜜容器などの出し入れを行なう。
【実施例２】
【００２６】
図４に、本考案の実施例２が採用された保温箱１を示す。
ここでは第１実施形態との相違に注目して説明する。
【００２７】
図４の保温箱１は、横手方向に長い形状の箱体である。開閉は蓋つまみ部３ａを持ち、
蓋３の開閉を行なう。実施例１のように扉２を有しない。
【００２８】
蓋３の裏面と、保温箱１の上部縁面とが接する面に、蓋３の裏面側に略Ｖ字突起１１を、保温箱１の上部縁面側には略Ｖ字溝１２を設け、蓋３を保温箱１に被せる脱着可能な構造である。
【００２９】
冷蔵庫側板への取付けは、実施例１と同様に暖気口４と、磁石５を有す面を冷蔵庫
側板に密着させ固定する構成である。暖気口４の周囲に溝６を設け、スポンジ７を取り付けてもよい。
【００３０】
保温箱１を利用する時は、磁石５を有す暖気口４面を冷蔵庫側板の適宜場所に置くと、
磁石５により保温箱１は冷蔵庫側板に密着固定される。蓋３に設けた蓋つまみ部３ａを持ちあげ蓋３を開閉し、乳製品や蜂蜜容器などの出し入れを行なう。
【実施例３】
【００３１】
図５に、本考案の実施例３が採用された保温箱１を示す。
実施例３と実施例２との違いは、図４の実施例２では、暖気口４の上部枠がなく上方が開放されている。実施例３は図５に示すように、暖気口４の上部に枠を有す保温箱１である。
開閉手段は、実施例１は扉２であり、実施例３は蓋３の採用である。
【００３２】
その他の相違点は、保温箱１の上部縁面の全周に略Ｖ字溝１２を設けてある。該上部縁面の略Ｖ字溝１２が対向する個所の、蓋３の裏面の全周に略V字突起１１を設け、これを被せて保温箱１とす。
【００３３】
保温箱１の上部縁面の全周に設けた略Ｖ字溝１２や、蓋３の裏面の全周に設けた略V字突起１１は、全周でなく部分的であってもよい。
【００３４】
実施例２、実施例３に表した、保温箱１の上部縁面の略Ｖ字溝１２や、対向する位置に設けた蓋３裏面の略Ｖ字突起１１は、互いが逆の形状でもよい。
【００３５】
その他、利用法などは実施例２と同様である。
【図面の簡単な説明】
【００３６】
【図１】本考案の第１実施形態が採用された保温箱を示す外観図。
【図２】本考案の第１実施形態が採用された保温箱のＹ−Ｙの断面図。
【図３】本考案の第１実施形態が採用された保温箱の裏面の外観図。
【図４】本考案の第２実施形態が採用された、蓋と保温箱を示す外観図。
【図５】本考案の第３実施形態が採用された、蓋(一部断面)と保温箱を示す外観図。
【符号の説明】
【００３７】
１    保温箱
２    扉
２ａ  扉軸穴
３    蓋
３ａ  蓋つまみ部
４    暖気口
５    磁石
６    溝
７    スポンジ
８    把手
９    発泡スチロール
１０  合成樹脂箱体
１１  Ｖ字突起
１２  Ｖ字溝
【図１】
0003160615.tif 000003
【図２】
0003160615.tif 000004
【図３】
0003160615.tif 000005
【図４】
0003160615.tif 000006
【図５】
0003160615.tif 000007